(57)【要約】【課題】大電力供給の要求に応えつつ、信頼性を高く確保する。【解決手段】実施形態の電池モジュールは、組電池装置を構成する高電位側電源端子と低電位側電源端子との間に複数個、直列に接続可能な電池モジュールである。電池モジュールの電池ユニットは、充放電可能な電池セルを複数備え、前記高電位側電源端子と前記低電位側電源端子との間に接続される。また常開接点部は、高電位側電源端子及び前記低電位側電源端子を介した前記電池ユニットと外部機器との間の電力授受のための閉回路の閉成あるいは開成を行うための制御信号ラインに直列に接続可能な常開接点を有する。一方、監視制御部は、電池ユニットの状態を検出し、常開接点部の開閉制御を行う。【選択図】図２
2014239611.tif 000002
【特許請求の範囲】
【請求項１】
組電池装置を構成する高電位側電源端子と低電位側電源端子との間に複数個接続可能な電池モジュールであって、
充放電可能な電池セルを複数備え、前記高電位側電源端子と前記低電位側電源端子との間に接続される電池ユニットと、
前記高電位側電源端子及び前記低電位側電源端子を介した前記電池ユニットと外部機器との間の電力授受のための閉回路の閉成あるいは開成を行うための制御信号ラインに直列に接続可能な常開接点を有する常開接点部と、
前記電池ユニットの状態を検出し、前記常開接点部の開閉制御を行う監視制御部と、
を備えた電池モジュール。
【請求項２】
前記制御信号ラインは、外部機器への電力供給を行うために前記電池ユニットの放電を行う放電回路の閉成あるいは開成を行うための放電制御信号ラインと、
電力を供給可能な外部機器からの電力供給を受けて前記電池ユニットの充電を行う充電回路の閉成あるいは開成を行うための充電制御信号ラインと、を備え、
前記常開接点部は、前記放電制御信号ラインに直列に接続可能な第１常開接点と、前記充電制御信号ラインに直列に接続可能な第２常開接点と、を備えた、
請求項１記載の電池モジュール。
【請求項３】
前記監視制御部は、前記電池ユニットの状態を検出し、前記電池ユニットが所定の放電条件を満たしている場合に、前記第１常開接点を閉状態とする制御を行い、
前記電池ユニットが所定の充電条件を満たしている場合に、前記第２常開接点を閉状態とする制御を行う、
請求項２記載の電池モジュール。
【請求項４】
前記電池ユニットは、複数の前記電池セルの充電時に、当該複数の前記電池セルの間のセルバランスをとるためのセルバランス回路を有し、
前記監視制御部は、前記セルバランス回路の制御を行う、
請求項１乃至請求項３のいずれかに記載の電池モジュール。
【請求項５】
高電位側電源端子と、
低電位側電源端子と、
前記高電位側電源端子と前記低電位側電源端子との間に複数個接続された請求項１乃至請求項４のいずれかに記載の電池モジュールを備えた電池ユニットと、
を備えた組電池システム。
【請求項６】
前記電池ユニットは、前記電池モジュールが直列接続されている、
請求項５記載の組電池システム。
【請求項７】
前記電池ユニットは、前記高電位側電源端子と前記低電位側電源端子との間に複数個並列に接続されている、
請求項５又は請求項６記載の組電池システム。
【請求項８】
高電位側電源ラインあるいは低電位側電源ラインのうち、いずれか一方に設けられ、前記放電制御ラインが接続された放電用リレーと、
前記放電用リレーと並列に接続され、前記充電制御ラインが接続された充電用リレーと、
前記高電位側電源ラインあるいは前記低電位側電源ラインのうち、いずれか他方に設けられた共用リレーと、
を備えた請求項５乃至請求項７のいずれかに記載の組電池システム。
【発明の詳細な説明】
【背景技術】
【０００１】
本発明の実施形態は、電池モジュール及び組電池システムに関する。
【０００２】
従来、リチウムイオン電池（ＬＩＢ）を産業機器や車載用機器に適用するには、１セルでは電圧が低いため、必ず多直列にセルをつなぎ合わせて、組電池を形成する必要があった（例えば、特許文献１参照）。
【０００３】
また、大電力供給の要求に応えるため、組電池を駆動電源あるいは補助電源に利用するシステムにおいては、高性能化及び使用可能時間の長時間化を目的として、高容量化の要望が高くなってきている。
【０００４】
このための手法として、電池を多数直列に接続して電池群を構成し、この電池群を並列接続することにより組電池を構成した組電池装置が用いられている。この場合に、電池の取り扱いを容易とするため、複数の電池を並列及び直列接続し、モジュール化して電池モジュールとして構成する場合がある。
【先行技術文献】
【特許文献】
【０００５】
【特許文献１】特開２００９−２７７６４７号公報
【発明の概要】
【発明が解決しようとする課題】
【０００６】
ところで、組電池システムを複数の電池モジュールを用いて構成し、電池モジュール間で通信を行って連携動作させる場合には、外来ノイズ等に起因して通信異常が発生する可能性を排除することはできない。
【０００７】
このため、高信頼性を要求される組電池システムにおいては、通信を用いずに、電気的にシステムを構築するのが望ましい。
そこで、本発明の目的は、大電力供給の要求に応えつつ、信頼性を高く確保することが可能な電池モジュール及び組電池システムを提供することにある。
【課題を解決するための手段】
【０００８】
実施形態の電池モジュールは、組電池装置を構成する高電位側電源端子と低電位側電源端子との間に複数個接続可能な電池モジュールである。
電池モジュールの電池ユニットは、充放電可能な電池セルを複数備え、前記高電位側電源端子と前記低電位側電源端子との間に接続される。
【０００９】
また常開接点部は、高電位側電源端子及び前記低電位側電源端子を介した前記電池ユニットと外部機器との間の電力授受のための閉回路の閉成あるいは開成を行うための制御信号ラインに直列に接続可能な常開接点を有する。
一方、監視制御部は、電池ユニットの状態を検出し、常開接点部の開閉制御を行う。
【図面の簡単な説明】
【００１０】
【図１】図１は、第１実施形態の組電池システムを電源バックアップシステムの電気系統に適用した場合の概要構成ブロック図である。
【図２】図２は、組電池システムの概要構成ブロック図である。
【図３】図３は、第２実施形態の組電池システムを電源バックアップシステムの電気系統に適用した場合の概要構成ブロック図である。
【図４】図４は、第３実施形態の電池モジュールの概要構成説明図である。
【図５】図５は、第３実施形態のセルバランス時の動作処理フローチャートである。
【発明を実施するための形態】
【００１１】
次に図面を参照して実施形態について説明する。
［１］第１実施形態
図１は、第１実施形態の組電池システムを電源バックアップシステムの電気系統に適用した場合の概要構成ブロック図である。
電源バックアップシステムの電気系統１０は、大別すると、商用交流電源１１からの電力変換を行って負荷１２に供給する電力変換回路１３と、電力変換回路１３からの電力供給を受けて充電されるとともに、停電などの理由により商用交流電源１１が電力変換回路１３を介して負荷１２に対する電力供給が行えなくなった場合にバックアップ対象として負荷１２に対して電力を供給する組電池システム１４と、を備えている。
【００１２】
図２は、組電池システムの概要構成ブロック図である。
組電池システム１４は、高電位側電源端子２１と、高電位側電源端子２１に一対の接点端子の一方が接続されるとともに、リレー駆動用高電位側電源ＲＬＨに一対のコイル端子の一方が接続された放電用リレー２２と、カソード端子Ｋが放電用リレー２２の他方の接点端子に接続された第１逆流防止ダイオード２３と、一対の接点端子の一方が高電位側電源端子２１に接続されて放電用リレー２２に並列接続された充電用リレー２４と、アノード端子Ａが充電用リレー２４の他方の接点端子に接続され、カソード端子Ｋが第１逆流防止ダイオード２３のアノード端子Ａに接続された第２逆流防止ダイオード２５と、を備えている。
【００１３】
さらに組電池システム１４は、互いに直列接続された（組）電池モジュールＢＭ１、ＢＭ２、…、ＢＭｎ（ｎは、２以上の整数）と、リレー駆動用高電位側電源ＲＬＨに一対のコイル端子の一方が接続された共用リレー２６と、共用リレー２６の他方のコイル端子にアノード端子Ａが接続され、カソード端子Ｋが放電用リレー２２の他方のコイル端子に接続された第３逆流防止ダイオード２７と第３逆流防止ダイオード２７のアノード端子Ａにアノード端子Ａが接続され、カソード端子Ｋが充電用リレー２４の他方のコイル端子に接続された第４逆流防止ダイオード２８と、を備えている。
【００１４】
上記構成において、電池モジュールＢＭ１、ＢＭ２、…、ＢＭｎは、同一構成を有しているので、電池モジュールＢＭ１を例として説明する。
電池モジュールＢＭ１は、高電位側電源端子３１と、低電位側電源端子３２と、高電位側電源端子３１と低電位側電源端子３２との間に直列接続された複数の電池セル３３と、複数の電池セル３３の状態を監視して複数の電池セル３３と電力変換回路１３との接続を制御する監視制御部として機能するバッテリマネジメントユニット（ＢＭＵ：Ｂａｔｔｅｒｙ  Ｍａｎａｇｅｍｅｎｔ  Ｕｎｉｔ）３４と、を備えている。
【００１５】
さらに電池モジュールＢＭ１は、一対の放電制御端子３５間に接続され、ＢＭＵ３４の制御下で、複数の電池セル３３が放電可能な状態にある場合に、閉（オン）状態とされる第１常開接点（ノーマリーオープン接点）３６と、一対の充電制御端子３７間に接続され、ＢＭＵ３４の制御下で、複数の電池セル３３が充電可能な状態にある場合に、閉（オン）状態とされる第２常開接点（ノーマリーオープン接点）３８と、を備えている。
【００１６】
ここで、各電池モジュールの接続状態について説明する。
電池モジュールＢＭ１の高電位側電源端子３１は、第１逆流防止ダイオード２３のアノード端子Ａと第２逆流防止ダイオード２５のカソード端子Ｋの接続点に接続されている。また、電池モジュールＢＭ１の一方の放電制御端子３５は、放電用リレー２２のコイル端子に接続され、一方の充電制御端子３７は、充電用リレー２４のコイル端子に接続されている。
【００１７】
電池モジュールＢＭ２の高電位側電源端子３１は、電池モジュールＢＭ１の低電位側電源端子３２に接続されている。また、電池モジュールＢＭ２の一方の放電制御端子３５は、電池モジュールＢＭ１の他方の放電制御端子３５に接続され、一方の充電制御端子３７は、電池モジュールＢＭ１の他方の充電制御端子３７に接続されている。
【００１８】
同様に、電池モジュールＢＭｘ（３≦ｘ＜ｎ：ｘは、整数）の高電位側電源端子３１は、電池モジュールＢＭ（ｘ−１）の低電位側電源端子３２に接続されている。また、電池モジュールＢＭｘの一方の放電制御端子３５は、電池モジュールＢＭ（ｘ−１）の他方の放電制御端子３５に接続され、一方の充電制御端子３７は、電池モジュールＢＭ（ｘ−１）の他方の充電制御端子３７に接続されている。
【００１９】
さらに電池モジュールＢＭｎの高電位側電源端子３１は、電池モジュールＢＭ（ｎ−１）の低電位側電源端子３２に接続されている。また、電池モジュールＢＭｎの一方の放電制御端子３５は、電池モジュールＢＭ（ｎ−１）の他方の放電制御端子３５に接続され、一方の充電制御端子３７は、電池モジュールＢＭ（ｎ−１）の他方の充電制御端子３７に接続されている。
【００２０】
これらの結果、リレー駆動用高電位側電源ＲＬＨと、リレー駆動用低電位側電源ＲＬＬとの間には、放電用リレー２２を構成するコイルと、電池モジュールＢＭ１〜ＢＭｎに対応する複数の第１常開接点３６が直列接続された状態となる。ここで、リレー駆動用高電位側電源ＲＬＨ−放電用リレー２２を構成するコイル−リレー駆動用低電位側電源ＲＬＬを結ぶ信号ラインは、放電制御信号ラインを構成している。
【００２１】
また、リレー駆動用高電位側電源ＲＬＨと、リレー駆動用低電位側電源ＲＬＬとの間には、充電用リレー２４を構成するコイルと、電池モジュールＢＭ１〜ＢＭｎに対応する複数の第２常開接点３８が直列接続された状態となる。ここで、リレー駆動用高電位側電源ＲＬＨ−充電用リレー２４を構成するコイル−リレー駆動用低電位側電源ＲＬＬを結ぶ信号ラインは、充電制御信号ラインを構成している。
【００２２】
したがって、電池モジュールＢＭ１〜ＢＭｎに対応する複数のＢＭＵ３４のうち、少なくともいずれかのＢＭＵ３４が対応する第１常開接点３６を開状態に維持したままとすると、放電用リレー２２は、開状態のままとなる。
同様に電池モジュールＢＭ１〜ＢＭｎに対応する複数のＢＭＵ３４のうち、少なくともいずれかのＢＭＵ３４が対応する第２常開接点３８を開状態に維持したままとすると、充電用リレー２４は、開状態のままとなる。
【００２３】
次に第１実施形態の動作を説明する。
この場合において、初期状態においては、電池モジュールＢＭ１〜ＢＭｎは、満充電状態にあるものとする。
【００２４】
まず、電池モジュールＢＭ１〜ＢＭｎが放電を行う場合の動作について説明する。
電池モジュールＢＭ１〜ＢＭｎのそれぞれに対応するＢＭＵ３４は、複数の電池セル３３の端子電圧を監視し、電力変換回路１３から電力が供給されなくなったこと、すなわち、停電などにより負荷１２に対して電力を供給する必要があると判別した場合には、第１常開接点３６を閉状態とする。
【００２５】
そして、全ての電池モジュールＢＭ１〜ＢＭｎのＢＭＵ３４が対応する第１常開接点３６を閉状態とした場合には、放電用リレー２２のコイル端子にリレー駆動用高電位側電源ＲＬＨから電圧が印加され、放電用リレー２２の常開接点が閉状態となる。
【００２６】
したがって、高電位側電源端子２１、第１逆流防止ダイオード２３、電池モジュールＢＭ１〜ＢＭｎ及び低電位側電源端子２２は、放電回路として閉成され、電池モジュールＢＭ１〜ＢＭｎに蓄えられている電力が負荷１２に供給され、負荷１２は、駆動を継続することとなる。
【００２７】
次に電池モジュールＢＭ１〜ＢＭｎが充電される場合の動作について説明する。
電池モジュールＢＭ１〜ＢＭｎのそれぞれに対応するＢＭＵ３４は、複数の電池セル３３の端子電圧を監視し、複数の電池セル３３に電力変換回路１３から供給されている電力により充電を行う必要があると判別した場合には、第２常開接点３８を閉状態とする。
【００２８】
そして、全ての電池モジュールＢＭ１〜ＢＭｎのＢＭＵ３４が対応する第２常開接点３８を閉状態とした場合には、充電用リレー２４のコイル端子にリレー駆動用高電位側電源ＲＬＨから電圧が印加され充電用リレー２４の常開接点が閉状態となる。
【００２９】
したがって、高電位側電源端子２１、第２逆流防止ダイオード２５、電池モジュールＢＭ１〜ＢＭｎ及び低電位側電源端子２２は、充電回路として閉成され、電池モジュールＢＭ１〜ＢＭｎに電力変換回路１３から電力が供給され、電池モジュールＢＭ１〜ＢＭｎを構成している複数の電池セル３３は、充電がなされて電力を蓄えることとなる。
【００３０】
以上の説明のように、本第１実施形態によれば、電池モジュールＢＭ１〜ＢＭｎの連携を図るために互いに通信を行う必要なく、実効的な連携を図って、放電あるいは充電を行うことができる。
したがって、信頼性の低い通信を行う必要が無いため、システムの信頼性を向上できる。
なお、本実施形態ではＢＭＵ３４が状態監視及び負荷及び主電源との制御を行っているが、これらの機能をＢＭＵ及びＢＣＵ（Ｂａｔｔｅｒｙ  Ｃｏｎｔｒｏｌ  Ｕｎｉｔ）に分けて実行する形態であってもよい。
【００３１】
［２］第２実施形態
図３は、第２実施形態の組電池システムを電源バックアップシステムの電気系統に適用した場合の概要構成ブロック図である。
図３において、図１及び図２の組電池システムと同様の部分には、同一の符号を付すものとする。
【００３２】
以下の説明においては、組電池システム１４Ａは、図１における組電池システム１４に代えて用いられるものとする。
【００３３】
組電池システム１４Ａは、高電位側電源端子２１と、リレー駆動用高電位側電源ＲＬＨに一対のコイル端子の一方が接続された共用リレー２６と、低電位側電源端子３２と、高電位側電源端子２１、共用リレー２６の他方のコイル端子及び低電位側電源端子３２にそれぞれ接続された複数の電池ユニット４１−１〜４１−ｎと、を備えている。
【００３４】
上記構成において、複数の電池ユニット４１−１〜４１−ｎは、同一構成をしているので、電池ユニット４１−１について説明する。
【００３５】
電池ユニット４１−１は、高電位側電源端子２１に一対の接点端子の一方が接続されるとともに、リレー駆動用高電位側電源ＲＬＨに一対のコイル端子の一方が接続された放電用リレー２２と、カソード端子Ｋが放電用リレー２２の他方の接点端子に接続された第１逆流防止ダイオード２３と、一対の接点端子の一方が高電位側電源端子２１に接続されて放電用リレー２２に並列接続された充電用リレー２４と、アノード端子Ａが充電用リレー２４の他方の接点端子に接続され、カソード端子Ｋが第１逆流防止ダイオード２３のアノード端子Ａに接続された第２逆流防止ダイオード２５と、互いに直列接続された電池モジュールＢＭ１、ＢＭ２、…、ＢＭｎ（ｎは、２以上の整数）と、共用リレー２６のリレー駆動用高電位側電源ＲＬＨが接続されていない他方のコイル端子にアノード端子Ａが接続され、カソード端子Ｋが放電用リレー２２の他方のコイル端子に接続された第３逆流防止ダイオード２７と第３逆流防止ダイオード２７のアノード端子Ａにアノード端子Ａが接続され、カソード端子Ｋが充電用リレー２４の他方のコイル端子に接続された第４逆流防止ダイオード２８と、を備えている。
【００３６】
次に第２実施形態の動作を説明する。
この場合において、初期状態においては、各電池ユニット４１−１〜４１−ｎを構成している電池モジュールＢＭ１〜ＢＭｎは、満充電状態にあるものとする。また、各電池ユニット４１−１〜４１−ｎを構成している電池モジュールＢＭ１〜ＢＭｎは、それぞれ独立して動作が可能である。
【００３７】
まず、電池ユニット４１−１〜４１−ｎの電池モジュールＢＭ１〜ＢＭｎが放電を行う場合の動作について説明する。
各電池ユニット４１−１〜４１−ｎの電池モジュールＢＭ１〜ＢＭｎのそれぞれに対応するＢＭＵ３４は、複数の電池セル３３の端子電圧を監視し、電力変換回路１３から電力が供給されなくなったこと、すなわち、停電などにより負荷１２に対して電力を供給する必要があると判別した場合には、第１常開接点３６を閉状態とする。
【００３８】
そして、電池ユニット４１−１〜４１−ｎのうち、少なくとも一つの電池ユニット（例えば、電池ユニット４１−１）の全ての電池モジュールＢＭ１〜ＢＭｎのＢＭＵ３４が対応する第１常開接点３６を閉状態とした場合には、放電用リレー２２のコイル端子にリレー駆動用高電位側電源から電圧が印加され、放電用リレー２２の常開接点が閉状態となる。
【００３９】
これと並行して、共用リレーの常開接点が閉状態となる。
したがって、全ての電池モジュールＢＭ１〜ＢＭｎのＢＭＵ３４が対応する第１常開接点３６が閉状態とされた電池ユニット４１−ｘ（ｘ：１〜ｎの整数）の高電位側電源端子２１、第１逆流防止ダイオード２３、電池モジュールＢＭ１〜ＢＭｎ及び低電位側電源端子２２は、放電回路として閉成され、電池モジュールＢＭ１〜ＢＭｎに蓄えられている電力が負荷１２に供給され、負荷１２は、駆動を継続することとなる。
【００４０】
次に電池ユニット４１−１〜４１−ｎの電池モジュールＢＭ１〜ＢＭｎが充電される場合の動作について説明する。
各電池ユニット４１−１〜４１−ｎの電池モジュールＢＭ１〜ＢＭｎのそれぞれに対応するＢＭＵ３４は、複数の電池セル３３の端子電圧を監視し、複数の電池セル３３に電力変換回路１３から供給されている電力により充電を行う必要があると判別した場合には、第２常開接点３８を閉状態とする。
【００４１】
そして、全ての電池モジュールＢＭ１〜ＢＭｎのＢＭＵ３４が対応する第２常開接点３８を閉状態とした場合には、充電用リレー２４のコイル端子にリレー駆動用高電位側電源ＲＬＨから電圧が印加され、充電用リレー２４の常開接点が閉状態となる。
【００４２】
したがって、高電位側電源端子２１、第２逆流防止ダイオード２５、電池モジュールＢＭ１〜ＢＭｎ及び低電位側電源端子２２は、充電回路として閉成され、電池モジュールＢＭ１〜ＢＭｎに電力変換回路１３から電力が供給され、電池モジュールＢＭ１〜ＢＭｎを構成している複数の電池セル３３は、充電がなされて電力を蓄えることとなる。
上記電池ユニット４１−１の動作は、他の電池ユニット４１−２〜４１−ｎにおいても、並行して独立に行われる。
【００４３】
以上の説明のように、本第２実施形態によっても、電池モジュールＢＭ１〜ＢＭｎの連携を図るために互いに通信を行う必要なく、実効的な連携を図って、放電あるいは充電を行うことができる。
したがって、信頼性の低い通信を行う必要が無いため、システムの信頼性を向上できる。
なお、本実施形態ではＢＭＵ３４が状態監視及び負荷及び主電源との制御を行っているが、これらの機能をＢＭＵ及びＢＣＵ（Ｂａｔｔｅｒｙ  Ｃｏｎｔｒｏｌ  Ｕｎｉｔ）に分けて実行する形態であってもよい。
【００４４】
［３］第３実施形態
上記各実施形態は、電池モジュールＢＭ１〜ＢＭｎを構成している複数の電池セル３３のセルバランスを考慮していなかったが、本第３実施形態は、セルバランスを考慮した場合の実施形態である。
図４は、第３実施形態の電池モジュールの概要構成説明図である。
図５は、第３実施形態のセルバランス時の動作処理フローチャートである。
電池モジュールＢＭ１〜ＢＭｎは、同一構成であるので、図４においては、電池モジュールＢＭ１を例として、４個の電池ユニットで構成されているものとして説明する。
【００４５】
電池モジュールＢＭ１に対応するＢＭＵ３４は、当該電池モジュールＢＭ１を構成している電池セル３３のうち、最高電圧を有する電池セル３３のセル電圧が所定電圧Ｖｔｈ１以上であるか否かを判別する（ステップＳ１１）。
ステップＳ１１の判別において、当該電池モジュールＢＭ１を構成している電池セル３３のうち、最高電圧を有する電池セル３３のセル電圧が所定電圧Ｖｔｈ１未満である場合には（ステップＳ１１；Ｎｏ）、充電を継続するために待機状態となる。
【００４６】
ステップＳ１１の判別において、当該電池モジュールを構成している電池セル３３のうち、最高電圧を有する電池セル３３のセル電圧が所定電圧Ｖｔｈ１以上である場合には（ステップＳ１１；Ｙｅｓ）、所定電圧以上のセル電圧を有する電池セル３３に対応する放電抵抗スイッチを閉状態（オン状態）として、放電抵抗５２を介して当該電池セル３３の蓄電電力を放電させる（ステップＳ１２）。
【００４７】
続いて、電池モジュールＢＭ１に対応するＢＭＵ３４は、当該電池モジュールＢＭ１を構成している電池セル３３のうち、最高電圧を有する電池セル３３のセル電圧が所定電圧Ｖｔｈ２（＜Ｖｔｈ１）未満であるか否かを判別する（ステップＳ１３）。
ステップＳ１３の判別において、当該電池モジュールＢＭ１を構成している電池セル３３のうち、最高電圧を有する電池セル３３のセル電圧が所定電圧Ｖｔｈ２以上である場合には（ステップＳ１３；Ｎｏ）、充電を継続するために待機状態となる。
【００４８】
ステップＳ１３の判別において、当該電池モジュールを構成している電池セル３３のうち、最高電圧を有する電池セル３３のセル電圧が所定電圧Ｖｔｈ２未満である場合には（ステップＳ１３；Ｙｅｓ）、所定電圧Ｖｔｈ２未満となった当該電池セル３３に対応する放電抵抗スイッチを開状態（オフ状態）とし、再び処理をステップＳ１１に移行して、以下、同様の処理を行う。
【００４９】
これらの結果、電池モジュールＢＭ１を構成している電池セル３３は、満充電状態まで充電可能となり、当該満充電状態を保持できることとなる。
ひいては、複数の電池モジュールＢＭ１〜ＢＭｎを構成している電池セル３３は、満充電状態まで充電可能となり、当該満充電状態を保持できることとなる。
【００５０】
［４］実施形態の変形例
上記実施形態においては、放電用リレー２２及び充電用リレー２４を高電位側電源ラインに設け、共用リレー２６を低電位側電源ラインに設けていたが、放電用リレー２２及び充電用リレー２４を低電位側電源ラインに設け、共用リレー２６を高電位側電源ラインに設けるように構成することも可能である。
本実施形態の電池モジュールあるいは組電池システムで実行される制御プログラムは、ＲＯＭ等に予め組み込まれて提供されるように構成しても良い。
本実施形態の電池モジュールあるいは組電池システムで実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５１】
さらに、本実施形態の電池モジュールあるいは組電池システムで実行される制御プログラムを、インターネット等のネットワークに接続されたコンピュータ上に格納し、ネットワーク経由でダウンロードさせることにより提供するように構成しても良い。また、本実施形態の電池モジュールあるいは組電池システムで実行される制御プログラムをインターネット等のネットワーク経由で提供または配布するように構成しても良い。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１０    電気系統
１１    商用交流電源
１２    負荷
１３    電力変換回路
１４、１４Ａ  組電池システム
２１    高電位側電源端子
２２    放電用リレー
２３    第１逆流防止ダイオード
２４    充電用リレー
２５    第２逆流防止ダイオード
２６    共用リレー
２７    第３逆流防止ダイオード
２８    第４逆流防止ダイオード
３１    高電位側電源端子
３２    低電位側電源端子
３３    電池セル
３４    ＢＭＵ
３５    放電制御端子
３６    第１常開接点
３７    充電制御端子
３８    第２常開接点
４１−１〜４１−ｎ    電池ユニット
５２    放電抵抗
Ａ      アノード端子
ＢＭ〜ＢＭｎ  電池モジュール
ＲＬＨ  リレー駆動用高電位側電源
ＲＬＬ  リレー駆動用低電位側電源
Ｖｔｈ  所定電圧
ＢＭ１〜ＢＭｎ  電池モジュール
Ｖｔｈ１  所定電圧
Ｖｔｈ２  所定電圧
【図１】
2014239611.tif 000003
【図２】
2014239611.tif 000004
【図３】
2014239611.tif 000005
【図４】
2014239611.tif 000006
【図５】
2014239611.tif 000007